(57)【要約】【課題】作業効率の向上を図りつつ、杭頭部に対する型枠の位置決め精度を向上することが可能な型枠の位置決め具を提供すること。【解決手段】地中Ｇに埋設された杭２の上端部を含む杭頭部３の周囲に、コンクリート４を打設する際に使用する筒状の型枠５の位置を決める位置決め具１であって、杭頭部３の水平方向に向く面１２ｄに当接する水平方向杭側当接部２６ｈと、当該水平方向杭側当接部２６ｈに連結され、型枠５の内壁面８ａに当接し、杭頭部３に対して水平方向における型枠５の位置を規定する水平方向型枠側当接部２６ｆと、を備え、型枠５に対して嵌め合せ可能な構成とする。【選択図】図１
2016053259.tif 000002
【特許請求の範囲】
【請求項１】
地中に埋設された杭の上端部を含む杭頭部の周囲に、コンクリートを打設する際に使用する筒状の型枠の位置を決める位置決め具であって、
前記杭頭部の水平方向に向く面に当接する水平方向杭側当接部と、
当該水平方向杭側当接部に連結され、前記型枠の水平方向に向く面に当接し、前記杭頭部に対して水平方向における型枠の位置を規定する水平方向型枠側当接部と、を備え、
前記型枠に対して嵌め合せ可能である、型枠の位置決め具。
【請求項２】
前記型枠は、矩形筒状を成し、前記水平方向に向く面として、第１の方向に対向する一対の第１の内壁面と、前記第１の方向に交差する第２の方向に対向する一対の第２の内壁面と、を有し、
前記位置決め具は、
前記第１の方向に延在する第１の板状部材と、
前記第２の方向に延在する第２の板状部材と、を備え、
前記第１の板状部材は、前記水平方向型枠側当接部として、前記一対の第１の内壁面にそれぞれ当接する一対の第１の水平方向型枠側当接部を有し、
前記第２の板状部材は、前記水平方向型枠側当接部として、前記一対の第２の内壁面にそれぞれ当接する一対の第２の水平方向型枠側当接部を有し、
前記第１の板状部材及び前記第２の板状部材は、交差して組み付けられ、前記型枠の開口に対して嵌め合せ可能である、請求項１に記載の型枠の位置決め具。
【請求項３】
前記第１の板状部材の厚み方向は、前記第２の方向に沿って配置され、
前記第２の板状部材の厚み方向は、前記第１の方向に沿って配置され、
前記第１の水平方向型枠側当接部は、前記第１の内壁面の前記第２の方向の中央に当接し、
前記第２の水平方向型枠側当接部は、前記第２の内壁面の前記第１の方向の中央に当接する、請求項２に記載の型枠の位置決め具。
【請求項４】
前記杭は、円筒状を成し、
前記杭の上端部には、当該上端部の開口を覆う蓋部材が装着され、
前記蓋部材は、前記杭の上端部の外周面又は内周面に当接するリング部を有し、
前記杭頭部は、前記蓋部材を含み、
前記水平方向杭側当接部は、前記蓋部材に当接する、請求項１〜３の何れか一項に記載の型枠の位置決め具。
【請求項５】
前記杭は、円筒状を成し、
前記水平方向杭側当接部は、前記杭の上端部の外周面又は内周面に当接する、請求項１〜３の何れか一項に記載の型枠の位置決め具。
【請求項６】
前記杭頭部の上向きの面に当接する鉛直方向杭側当接部と、
前記鉛直方向杭側当接部に連結され、前記型枠の下向きの面に当接する鉛直方向型枠側当接部と、を備える、請求項１〜５の何れか一項に記載の型枠の位置決め具。
【請求項７】
前記鉛直方向型枠側当接部は、前記水平方向型枠側当接部の下端から、前記型枠の外側に突出し、前記型枠の下端部に当接する突出片を有する、請求項６に記載の型枠の位置決め具。
【請求項８】
前記杭頭部を挟んで水平方向の両側から前記杭頭部に当接可能な一対の前記水平方向杭側当接部を備え、
前記鉛直方向杭側当接部は、前記一対の水平方向杭側当接部の間で、前記杭頭部の天面に当接する、請求項６又は７に記載の型枠の位置決め具。
【発明の詳細な説明】
【技術分野】
【０００１】
本発明は、地中に埋設された杭の頭部の周囲にコンクリートを打設する際に使用される型枠の位置を規定する位置決め具に関する。
【背景技術】
【０００２】
例えば住宅などの建物を支持する基礎構造において、地中に複数の杭を打ち込んで地盤を改良し、複数の杭の上方に鉄筋コンクリート製の基礎（例えば布基礎）を構築するものがある（例えば、特許文献１参照）。このような基礎構造では、地中に埋め込まれた杭の頭部（以下、「杭頭部」という。）を根切りされた地表に露出させ、杭頭部の周囲に型枠を設置して、この型枠内にコンクリートを打設することで、杭頭部を補強する補強部が施工される。
【先行技術文献】
【特許文献】
【０００３】
【特許文献１】特開２００５−９００３９号公報
【発明の概要】
【発明が解決しようとする課題】
【０００４】
コンクリートを打設する際に使用される型枠の位置がずれると、このコンクリート製の補強部の施工位置が杭頭部に対してずれることになる。この補強部の上には、基礎梁や、柱脚が配置されるので、補強部の施工位置がずれると、基礎梁や柱脚を正確に配置することができない。また、杭頭部と型枠との距離を、スケールを用いて測定し、杭頭部に対して型枠の位置決めを行うと、位置決め作業に時間がかかってしまい、作業効率の低下を招くことになる。
【０００５】
本発明は、作業効率の向上を図りつつ、杭頭部に対する型枠の位置決め精度を向上することが可能な型枠の位置決め具を提供することを目的とする。
【課題を解決するための手段】
【０００６】
本発明の型枠の位置決め具は、地中に埋設された杭の上端部を含む杭頭部の周囲に、コンクリートを打設する際に使用する筒状の型枠の位置を決める位置決め具であって、杭頭部の水平方向に向く面に当接する水平方向杭側当接部と、当該水平方向杭側当接部に連結され、型枠の水平方向に向く面に当接し、杭頭部に対して水平方向における型枠の位置を規定する水平方向型枠側当接部と、を備え、型枠に対して嵌め合せ可能である。
【０００７】
型枠の位置決め具では、水平方向杭側当接部が杭頭部の水平方向に向く面に当接し、水平方向杭側当接部に連結された水平方向型枠側当接部が、型枠の水平方向に向く面に当接する。これにより、杭頭部に対して、型枠の水平方向の位置を規定することができる。また、この位置決め具は、型枠に対して嵌め合せ可能であるので、あらかじめ型枠に位置決め具を嵌め合せた状態で、位置決め具を杭頭部に当接させて、型枠を配置することができる。これにより、型枠の位置決めを行う際の作業効率を向上させることができる。なお、杭頭部に当接して配置された位置決め具に対して、型枠を嵌め合せてもよく、この場合においても、位置決め具に対して型枠を嵌めるだけで、杭頭部に対して型枠を正確な位置に容易に配置することができる。また、位置決め具と型枠とが嵌め合わされているので、型枠を位置決めした後、位置決め具を型枠から取り外して、繰返し使用することができる。
【０００８】
また、型枠は、矩形筒状を成し、水平方向に向く面として、第１の方向に対向する一対の第１の内壁面と、第１の方向に交差する第２の方向に対向する一対の第２の内壁面と、を有し、位置決め具は、第１の方向に延在する第１の板状部材と、第２の方向に延在する第２の板状部材と、を備え、第１の板状部材は、水平方向型枠側当接部として、一対の第１の内壁面にそれぞれ当接する一対の第１の水平方向型枠側当接部を有し、第２の板状部材は、水平方向型枠側当接部として、一対の第２の内壁面にそれぞれ当接する一対の第２の水平方向型枠側当接部を有し、第１の板状部材及び第２の板状部材は、交差して組み付けられ、型枠の開口に対して嵌め合せ可能である構成でもよい。この構成によれば、第１の方向に延在する第１の板状部材と第２の方向に延在する第２の板状部材とを組み付けて、これらの第１の板状部材及び第２の板状部材を型枠の開口に対して嵌め合せることができる。この状態において、第１の板状部材の第１の型枠側当接部は、第１の方向に対向する型枠の内壁面にそれぞれ当接し、第２の板状部材の第２の型枠側当接部は、第２の方向に対向する型枠の内壁面にそれぞれ当接する。その結果、杭頭部に対して、位置決め具を介し、型枠を水平方向の正確な位置に配置することができる。
【０００９】
また、第１の板状部材の厚み方向は、第２の方向に沿って配置され、第２の板状部材の厚み方向は、第１の方向に沿って配置され、第１の水平方向型枠側当接部は、第１の内壁面の第２の方向の中央に当接し、第２の水平方向型枠側当接部は、第２の内壁面の前記第１の方向の中央に当接する構成でもよい。この構成の位置決め具によれば、矩形の型枠の第１の内壁面の中央に対して第１の水平方向型枠側当接部を当接させ、第２の内壁面の中央に対して第２の水平方向型枠側当接部を当接させて型枠の位置決めを行うことができ、位置決め後においては、位置決め具を杭の軸線周りに回転移動させることで、第１の水平方向型枠側当接部及び第２の水平方向型枠側当接部と、型枠の内壁面との当接状態を解除することができる。また、杭の軸線方向から見た場合に、第１の水平方向型枠側当接部及び第２の水平方向型枠側当接部は、型枠の内壁面に対して、板状部材の厚み分の狭い範囲で（点状に近い状態で）当接しているので、位置決め具を取り外す際の回転移動において、抵抗を減らすことができ、容易に取り外すことができる。
【００１０】
また、杭は、円筒状を成し、杭の上端部には、当該上端部の開口を覆う蓋部材が装着され、蓋部材は、杭の上端部の外周面又は内周面に当接するリング部を有し、杭頭部は、蓋部材を含み、水平方向杭側当接部は、蓋部材に当接する構成でもよい。これにより、位置決め具の水平方向杭側当接部を、杭の開口を覆う蓋部材に当接させることで、杭頭部に対して位置決め具を位置決めすることができる。ここで、蓋部材には、杭の上端部の内周面又は外周面に当接するリング部が設けられているので、水平方向において蓋部材は杭に対して位置決めされて配置される。この蓋部材に対して、位置決め具を当接させて配置して、型枠を位置決めすることができる。また、蓋部材のリング部は、杭の上端部の開口の内周面又は外周面に当接しているので、杭の軸線周りに蓋部材を容易に回転移動させることができる。そのため、蓋部材に当接する位置決め具を蓋部材と共に容易に回転移動させることができるので、型枠から位置決め具を容易に取り外すことができる。また、蓋部材によって、杭の上端部の開口を覆うことができるので、コンクリートを打設した際に、杭の内部にコンクリートが進入することが防止される。
【００１１】
また、杭は、円筒状を成し、水平方向杭側当接部は、杭の上端部の外周面又は内周面に当接する構成でもよい。これにより、位置決め具の水平方向杭側当接部を、杭の上端部の外周面又は内周面に当接させることで、杭頭部に対して位置決め具を位置決めすることができる。この位置決め具を介して型枠を配置することで、型枠を杭頭部に対して位置決めすることができる。また、位置決め具の水平方向杭側当接部は、杭の上端部の内周面又は外周面に当接しているので、杭の軸線周りに位置決め具を容易に回転移動させることができ、位置決め具の位置をずらして、位置決め具と型枠との当接状態を解除して、容易に位置決め具を型枠から取り外すことができる。
【００１２】
また、位置決め具は、杭頭部の上向きの面に当接する鉛直方向杭側当接部と、当該鉛直方向杭側当接部に連結され、型枠の下向きの面に当接する鉛直方向型枠側当接部と、を備える構成でもよい。この構成の位置決め具によれば、鉛直方向杭側当接部を杭頭部の上向きに面に当接させるとともに、鉛直方向型枠側当接部を型枠の下向きの面に当接させることができ、鉛直方向において、杭頭部に対して、型枠を位置決めすることができる。そのため、型枠を地面に載置させないで位置決めを行うことができる。
【００１３】
また、鉛直方向型枠側当接部は、水平方向型枠側当接部の下端から、型枠の外側に突出し、型枠の下端部に当接する突出片を有する構成でもよい。これにより、水平方向型枠側当接部の下端から外側に突出する突出片を型枠の下端部に当接させることで、鉛直方向における型枠の位置決めを容易に行うことができる。
【００１４】
また、杭頭部を挟んで水平方向の両側から杭頭部に当接可能な一対の水平方向杭側当接部を備え、鉛直方向杭側当接部は、一対の水平方向杭側当接部の間で、杭頭部の天面に当接する構成でもよい。この構成の位置決め具によれば、鉛直方向杭側当接部を杭頭部の天面に当接させることで、位置決め具の鉛直方向の位置を規定することができる。また、杭頭部を水平方向の両側から挟むように水平方向杭側当接部が形成されているので、水平方向杭側当接部を杭頭部の両側から挟むように当接させることで、杭頭部に対して位置決め具を正確に配置して、位置決め具を介して、型枠を位置決めすることができる。
【発明の効果】
【００１５】
本発明によれば、杭頭部に対して型枠の位置決めを行う際に、作業効率の向上を図ることができ、杭頭部に対する型枠の位置決め精度の向上を図ることが可能な型枠の位置決め具を提供することができる。
【図面の簡単な説明】
【００１６】
【図１】本発明の一実施形態に係る位置決め具を用いて、型枠が杭頭部に対して位置決めされている状態を示す断面図である。
【図２】建物の基礎構造及び基礎構造を下方から支持する杭を示す断面図である。
【図３】杭頭部に装着されて型枠が嵌め合わされた状態の位置決め具を示す平面図である。
【図４】本発明の一実施形態に係る位置決め具を示す側面図である。
【図５】杭頭部に装着された状態の位置決め具を示す斜視図である。
【図６】杭頭部に装着された位置決め具に対して型枠を嵌め合せた状態を示す斜視図である。
【発明を実施するための形態】
【００１７】
以下、本発明の好適な実施形態について、図面を参照しながら詳細に説明する。なお、各図において同一部分又は相当部分には同一の符号を付し、重複する説明は省略する。
【００１８】
図１に示す位置決め具１は、地中Ｇに埋設された杭２の杭頭部３の周囲にコンクリート４（図２参照）を打設する際に使用する筒状の型枠５の位置を規定するものである。位置決め具１は、杭２の上端部を含む杭頭部３に対して型枠５を位置決めする。
【００１９】
例えば軟弱地盤等に建物を設置する場合には、予め地盤に対して複数の杭２を打ち込むことで、地盤の強度を確保する。図２に示されるように、鉛直方向に延在する杭２の杭頭部３の周囲に型枠５が配置され、この型枠５内にコンクリート４が打設されて、杭頭部３を補強するコンクリート製の補強部が施工される。平面視において、これらの複数の補強部の上方に布基礎６が施工され、この布基礎６の上に建物の柱７が立設される。
【００２０】
杭２としては、円筒状を成す鋼管が使用される。杭２を地中Ｇに打ち込んだ際、杭２の上端部は、根切りされた地表面に露出される。
【００２１】
杭２の上端部には杭頭キャップ（蓋部材）１１が装着されている。杭頭部３は、杭２の上端部と、この上端部に装着された杭頭キャップ１１とを含んでいる。杭頭キャップ１１は、杭２の上端部の開口を覆う蓋板１２を備えている。この蓋板１２は、例えば矩形の板材であり、杭２の開口の面積よりも大きな面積を有する。蓋板１２は、上向きの面である天面１２ａ及び下向きの面である裏面１２ｂを有し、これらの天面１２ａ及び裏面１２ｂは平面を成している。蓋板１２の天面１２ａは、位置決め具１の後述するベースプレート２１に当接し、蓋板１２の裏面１２ｂは、杭２の上端面に当接し、杭２の上端部の開口を覆う。杭頭キャップ１１は、杭頭部３の周囲にコンクリート４を打設する際に、杭２の上端部の開口を通じて、開口の内部にコンクリートが進入することを防止する。
【００２２】
また、蓋板１２には、裏面１２ｂから突出するリング部１３が設けられている。リング部１３の中心線Ｃ１３方向は、蓋板１２の厚み方向に沿うように配置されている。リング部１３の外周面１３ｂは、杭２の上端部の内周面２ａの形状に沿う形状を成している。杭頭キャップ１１を杭２の上端部に装着した状態において、リング部１３は杭２の開口の内部に進入し、リング部１３の外周面１３ａと杭２の上端部の内周面２ａとが当接する。この状態において、杭頭キャップ１１のリング部１３の中心線Ｃ１３と、杭２の中心線Ｃ２とが延在する方向は一致し、杭頭キャップ１１は、杭２の中心線Ｃ２周りに回転移動可能な状態となっている。
【００２３】
なお、リング部１３は、杭２の上端部の外周面に当接するものでもよい。また、リング部１３に代えて、円弧状の凸部を備え、この凸部が、杭２の上端部の内周面２ａ又は外周面に当接するもでもよい。また、蓋板１２の裏面１２ｂに円形の溝部を形成し、この溝部内に杭２の上端部を嵌め合せてもよい。
【００２４】
蓋板１２は、正方形の４つの側辺１２ｃに沿って形成された端面（杭頭部の水平方向に向く面）１２ｄを有する。端面１２ｄは、天面１２ａ及び裏面１２ｂに交差する面であり、位置決め具１の後述する内側の端面２６ｈ（図４参照）に当接する面である。
【００２５】
次に型枠５について説明する。図１〜図３及び図６に示されるように、型枠５は矩形筒状を成している。型枠５は、複数の側壁８として、第１の方向Ｘに対向する一対の側壁８と、第２の方向Ｙに対向する一対の側壁８とを有し、隣接する側壁８同士は互いに交差している。側壁８の内壁面（第１の内壁面、第２の内壁面）８ａは、水平方向を向く面であり、平面を成している。側壁８の内壁面８ａは、位置決め具１の後述する外側の端面（水平方向型枠側当接部）２６ｆに当接する面である。
【００２６】
側壁８の上端部には、外方に張り出す張出片９が設けられ、側壁８の下端部には、外側に張り出す張出片１０が設けられている。張出片９は、側壁８の上端から外側に屈曲されて形成されている。張出片１０は、側壁８の下端から外側に屈曲されて形成されている。張出片９，１０の厚み方向は、側壁８の厚み方向と交差する方向に配置されている。張出片１０の下面１０ａは、下向きの面であり、平面を成し、位置決め具１の後述する突出片２４と当接する。また、張出片９，１０はリブとして機能し、側壁８の変形を抑制する。型枠５の高さ（張出片９，１０間の長さ）は、例えば２２０ｍｍである。
【００２７】
次に、位置決め具１について詳細に説明する。位置決め具１は、図１、及び図３〜図６に示されるように、ベースプレート２１と、第１プレート（第１の板状部材）２２と、第２プレート（第２の板状部材）２３と、複数の突出片２４とを備えている。これらのベースプレート２１、第１プレート２２、第２プレート２３及び複数の突出片２４は、例えばステンレス製の板材（例えば厚さ５ｍｍ）から形成されている。
【００２８】
ベースプレート２１は、例えば矩形（正方形）を成し、厚み方向が上下方向に沿って配置されている。ベースプレート２１の対角線の長さは、例えば、蓋板１２の側辺１２ｃの長さに対応している。ベースプレート２１の天面２１ａ及び裏面２１ｂは平面を成している。天面２１ａは、第１プレート２２及び第２プレート２３に当接する面であり、裏面（鉛直方向杭側当接部）２１ｂは、蓋板１２の天面１２ａに当接する面である。
【００２９】
第１プレート２２は、ベースプレート２１の直交する対角線の一方（第１の方向Ｘ）に沿って延在している。第１プレート２２の厚み方向は、水平方向に沿って配置されている。第１プレート２２は、長手方向の中央部に配置された中央連結部２５と、長手方向において中央連結部２５の両側に配置された側部連結部２６とを有する。
【００３０】
図４に示されるように、第１プレート２２の厚み方向から見た場合に、中央連結部２５は矩形状を成している。中央連結部２５の上辺２５ａ及び下辺２５ｂは、上下方向に対向し、第１プレート２２の長手方向に延在している。下辺２５ｂの長さは、蓋板１２の側辺１２ｃの長さに対向している。第１プレート２２の長手方向の中央には、下辺２５ｂから上方に延びる切欠き部２７（図１参照）が設けられている。この切欠き部２７は、第２プレート２３を組み付ける際に、第２プレート２３が差し込まれる部分である。
【００３１】
中央連結部２５の下端面２５ｃは、下辺２５ｂに沿って形成された下向きの面であり、平面を成している。下端面２５ｃは、切欠き部２７を挟んで両側に形成されている。下端面２５ｃは、ベースプレート２１の対角線に沿って、ベースプレート２１の天面２１ａと対面して配置され、第１プレート２２とベースプレート２１とが接合されている。
【００３２】
側部連結部２６は、中央連結部２５に隣接して外方に延びている部分であり、中央連結部２５から斜め下方に延びている。第１プレート２２の厚み方向から見た場合に、側部連結部２６は、略平行四辺形を成している。側部連結部２６は、図４に示されるように、上部斜辺２６ａ、外側辺２６ｂ、下辺２６ｃ、下部斜辺２６ｄ及び内側辺２６ｅを有する。
【００３３】
上部斜辺２６ａは、中央連結部２５の上辺２５ａの長手方向の端部から斜め下方に延びている。上部斜辺２６ａは、第１プレート２２の長手方向において、型枠５の側壁８の内壁面８ａに当接可能な位置まで延びている。上部斜辺２６ａは上下方向において、中央連結部２５の下辺２５ｂよりも下方の位置まで延びている。
【００３４】
外側辺２６ｂは、第１プレート２２の長手方向において、上部斜辺２６ａの外側の端部から下方に延びている。外側辺２６ｂは、第１プレート２２の長手方向の外側で上下方向に延びている。第１プレート２２の長手方向の外側の端面（第１の水平方向型枠側当接部）２６ｆは、型枠５の側壁８の内壁面（第１の内壁面）８ａに対面し、型枠５の側壁８の内壁面８ａに当接可能な面である。端面２６ｆは、型枠５の側壁８の内壁面８ａに沿って、相対的に移動可能である。外側辺２６ｂの上下方向の長さは、例えば５０ｍｍである。
【００３５】
下辺２６ｃは、第１プレート２２の長手方向において、外側辺２６ｂの下端から内側（中央連結部２５側）に延びている。下辺２６ｃは、中央連結部２５の上辺２５ａ及び下辺２５ｂと平行に配置されている。下辺２６ｃは、第１プレート２２の長手方向において、上部斜辺２６ａの半分程度の長さである。側部連結部２６の下端面２６ｇは、平面を成し、下辺２６ｃに沿って形成された下向きの面である。
【００３６】
下部斜辺２６ｄは、第１プレート２２の長手方向において、下辺２６ｃの内側の端部から斜め上方に延びている。下部斜辺２６ｄは、例えば上部斜辺２６ａに平行である。下部斜辺２６ｄは、第１プレート２２の長手方向において、中央連結部２５に達する位置まで延びている。また、下部斜辺２６ｄでの上端部は、上下方向において、中央連結部２５の下辺２５ｂよりも下方に位置している。なお、上部斜辺２６ａ及び下部斜辺２６ｄは、異なる角度で傾斜して配置されているものでもよい。
【００３７】
内側辺２６ｅは、第１プレート２２の長手方向において、下部斜辺２６ｄの内側の端部から上方に延びている。内側辺２６ｅは、中央連結部２５の下辺２５ｂに達する位置まで延びている。側部連結部２６の内側の端面（水平方向杭側当接部）２６ｈは、内側辺２６ｅに沿って形成され、平面を成し、水平方向に向く面を形成する。側部連結部２６の内側の端面２６ｈは、蓋板１２の端面１２ｄに当接する面である。中央連結部２５を挟んで配置された一対の側部連結部２６の内側の端面２６ｈは、蓋板１２に水平方向の両側から当接する。また、第１プレート２２において、対向する一対の端面２６ｈ同士は、平行に配置されている。端面２６ｈは、蓋板１２の端面１２ｄに対して、相対的に移動可能であってもよい。
【００３８】
第２プレート２３は、ベースプレート２１の直交する対角線の他方（第２の方向Ｙ）に沿って延在している。第２プレート２３は、一対の内壁面（第２の内壁面）８ａにそれぞれ当接する一対の端面（第２の水平方向型枠側当接部）２６ｆを有する。第２プレート２３は、第１プレート２２と略同じ形状を成している。第２プレート２３が、第１プレート２２と違う点は、下辺２５ｂから上方に延びる切欠き部２７に代えて、上辺２５ａから下方に延びる切欠き部２８（図１参照）を有する点である。この切欠き部２８は、第１プレート２２を組み付ける際に、第１プレート２２が差し込まれる部分である。第２プレート２３は、切欠き部２８の配置が異なるが、それ以外では第１プレート２２と同じ構成であるので、ここでの説明は省略する。
【００３９】
位置決め具１は、図３に示されるように、平面視において、第１プレート２２と第２プレート２３とが十字を成すように交差して配置されている。第１プレート２２の切欠き部２７に第２プレート２３が差し込まれ、第２プレート２３の切欠き部２８に第１プレートが差し込まれている。第１プレート２２の長手方向と、第２プレート２３の長手方向とは、直交している。
【００４０】
位置決め具１は、第１プレート２２の長手方向において、第１プレート２２よりも外方に突出する一対の突出片２４を備えている。突出片２４は、平面視において略台形状を成している。突出片２４は、第１プレート２２の下辺２６ｃに沿って配置され、突出片２４の厚み方向は上下方向に沿って配置されている。突出片２４は、第１プレート２２の下辺２６ｃに沿う下端面２６ｇに接合されている。なお、突出片２４の形状はその他の形状でもよく、例えば、矩形状のものでもよく、円形状のものでもよい。
【００４１】
突出片２４の幅（第１プレート２２に交差する方向の長さ）は、平面視において、第１プレート２２の長手方向の外側に向かうにつれて、広くなっている。突出片２４の先端部の幅は、平面視において略同一となっている。第１プレート２２は、突出片２４の幅方向の中央に配置されている。型枠５に対し位置決め具１を嵌め合せた状態において、突出片２４の第１プレート２２よりも外方に突出した部分は、平面視において、型枠５よりも外側に突出している。また、突出片２４の第１プレート２２よりも外方に突出した部分の天面（鉛直方向型枠側当接部）２４ａは、平面を成し、型枠５の下端部の張出片１０に当接する面である。
【００４２】
また、位置決め具１は、第２プレート２３の長手方向において、第２プレート２３よりも外側に突出する一対の突出片２４を備えている。第２プレート２３に対して設けられた突出片２４は、第１プレート２２に対して設けられた突出片２４と同じ構成であるので、ここでの説明は省略する。
【００４３】
次に、位置決め具１を用いて、型枠５を位置決めする方法の施工手順について説明する。杭頭部３の周囲にコンクリート４を施工する前の状態において、杭２の上端部は地表面から上方に突出している。まず、杭２の上端部の開口に対して、杭頭キャップ１１のリング部１３を挿入して、杭頭キャップ１１を装着する。
【００４４】
杭２の上端部の開口に対して、杭頭キャップ１１を装着した状態において、杭２の中心線Ｃ２方向と、リング部１３の中心線Ｃ１３方向とは、略一致している。リング部１３の外周面１３ａは、杭２の上端部の内周面２ａに対して、全周において当接している。また、蓋板１２の裏面１２ｂは、上下方向において、杭２の上端面に当接している。杭頭キャップ１１を杭２の上端部に装着した状態において、杭頭キャップ１１は、杭２の中心線Ｃ２周りに回転可能となっている。
【００４５】
次に、杭頭キャップ１１に対して位置決め具１を装着する。具体的には、位置決め具１のベースプレート２１を杭頭キャップ１１の蓋板１２上に重ね合せ、位置決め具１の対向する内側の端面２６ｈの間に、蓋板１２を配置する。杭頭キャップ（杭頭部３）１１に対して、位置決め具１が装着されている状態において、杭頭キャップ１１の蓋板１２の天面１２ａと、位置決め具１のベースプレート２１の裏面２１ｂとが、上下方向に対面して当接している。また、杭頭キャップ１１に対して、位置決め具１が装着されている状態において、杭頭キャップ１１の蓋板１２の端面１２ｄと、位置決め具１の内側の端面２６ｈとが、水平方向に対面して当接している。蓋板１２の４辺（側辺１２ｃ）において、側辺１２ｃの中央で、対向する端面１２ｄ，２６ｈ同士が当接している。位置決め具１は、杭頭キャップ１１に嵌められた状態において、杭頭キャップ１１と共に、杭２の中心線Ｃ２周りに回転可能とされている。
【００４６】
次に、位置決め具１に対して、型枠５を装着する。具体的には、型枠５の開口内に下方から、位置決め具１が挿入されるように、型枠５を上方から位置決め具１に嵌め合せる。このとき、上から見た場合に直交する２方向（第１の方向Ｘ、第２の方向Ｙ）において、型枠５の側壁８の内壁面８ａと、位置決め具１の外側の端面２６ｆとを当接させて、型枠５を下向きに移動させる。型枠５の下端部の張出片１０が位置決め具１の突出片２４に当接するまで、型枠５を押し込み、型枠５を位置決め具１に嵌め合せる。
【００４７】
位置決め具１に対して型枠５を嵌め合せた状態において、位置決め具１のベースプレート２１の裏面１２ｂが、杭頭キャップ１１の蓋板１２の天面１２ａに当接し、型枠５の下端部が位置決め具１の突出片２４に当接して、型枠５が杭頭部３に対して、上下方向において位置決めされる。
【００４８】
また、位置決め具１に対して、型枠５を嵌め合せた状態において、位置決め具１の内側の端面２６ｈが、杭頭キャップ１１の蓋板１２の端面１２ｄに当接し、型枠５の側壁８の内壁面８ａが位置決め具１の外側の端面２６ｆに当接して、型枠５が杭頭部３に当接し、水平方向において位置決めされる。互いに直交する２方向において、位置決めされて、型枠５の開口の中心線と、杭２の中心線Ｃ２とが一致している。これらにより、型枠５は、上下方向及び水平方向（第１の方向Ｘ及び第２の方向Ｙ）において、杭頭部３に対して位置決めされる。
【００４９】
型枠５が設置された後、図１及び図６に示されるように、型枠５の側壁８の外側に砕石を設置する。例えば、側壁８の下半分程度の高さまで、砕石を設置する。
【００５０】
次に、位置決め具１の型枠５からの取り外しについて説明する。具体的には、第１プレート２２と第２プレート２３との交点を通り、鉛直方向に延在する中心線（Ｃ２）周りに、位置決め具１を回転させる。突出片２４の全体が型枠５の側壁８よりも内側に配置されるまで、位置決め具１を回転させる。すなわち、位置決め具１が型枠５と上下に重なっていない状態となったら、位置決め具１を引き上げて、位置決め具１を型枠５から取り外すことができる。なお、図３において、型枠５と重なっていない状態の突出片２４を破線で示している。型枠５から取り外された位置決め具１は、他の杭２の杭頭部３に対して、型枠５を位置決めする際に、再利用することができる。
【００５１】
位置決め具１を型枠５から取り外した後に、型枠５内にコンクリート４を打設する。これにより、杭頭部３を補強するコンクリート製の補強部を施工することができる。
【００５２】
このような位置決め具１によれば、杭頭部３に対して正確に配置することができると共に、この位置決め具１に対して、型枠５を嵌め合せるだけで、型枠５を容易に位置決めすることができる。従前のようにスケールを用いて、型枠５を位置決めする必要がないので、作業効率を向上させて、型枠５を正しい位置に配置することができる。位置決め具１では、鉛直方向及び水平方向において、型枠５を容易に位置決めすることができるので、杭頭部３に対する型枠５の位置決め精度を向上させることができる。
【００５３】
また、位置決め具１では、型枠５を位置決めした後に、位置決め具１を中心線Ｃ２周りに回転させるだけで、位置決め具１を型枠５と重ならない位置に移動させて容易に取り外すことができる。また、外側の端面２６ｆの幅は、第１プレート２２及び第２プレート２３の厚みに対応しているので、平面視において、端面２６ｆと側壁８とが当接する面積を抑制することができ、位置決め具１を取り外すときの摩擦抵抗を減らすことができる。そのため、型枠５から位置決め具１を容易に取り外すことができる。
【００５４】
また、位置決め具１では、下部斜辺２６ｄが内側に向かうにつれて、上方に傾斜しているので、位置決め具１を杭頭キャップ１１（杭頭部３）に装着する際に、下部斜辺２６ｄが杭頭キャップ１１の蓋板１２の側辺１２ｃに当たると、位置決め具１の中心（第１プレート２２と第２プレート２３との交点）と、杭２の中心とが一致するように、位置決め具１が案内されることになり、位置決め具１が正しい位置に案内される。これにより、位置決め具１を杭頭キャップ１１に容易に嵌めることができる。そのため、位置決め具１を素早く正しい位置に配置することができる。
【００５５】
また、位置決め具１では、上部斜辺２６ａが外側に向かうにつれて、下方に傾斜しているので、型枠５を位置決め具１に装着する際に、型枠５の側壁８の下端が上部斜辺２６ａに当たると、側壁８が外側に案内されることになり、型枠５が正しい位置に案内されて、側壁８の内壁面８ａと位置決め具１の外側の端面２６ｆとが容易に当接する。これにより、型枠５を素早く正しい位置に位置決めすることができる。
【００５６】
また、位置決め具１では突出片２４が板状に形成され、厚み方向が上下方向に沿って配置されているので、位置決め具１を型枠５から取り外す際に、抵抗を抑えて位置決め具１を容易に回転移動させることができる。これにより、位置決め具１の取り外しを簡単に行うことができる。
【００５７】
本発明は、前述した実施形態に限定されず、本発明の要旨を逸脱しない範囲で下記のような種々の変形が可能である。
【００５８】
上記実施形態では、位置決め具１は、突出片２４を備え、型枠５の張出片１０と突出片２４とを当接させて、型枠５を鉛直方向において位置決めしているが、位置決め具１は、水平方向のみにおいて型枠５の位置決めを行うものでもよい。
【００５９】
また、上記実施形態では、型枠５は、平面視において矩形の開口を有する矩形筒状に形成されているが、型枠５は、例えば、円筒状に形成されているものでもよく、その他の断面形状を有する筒状に形成されているものでもよい。
【００６０】
また、上記実施形態では、型枠５を位置決めしてから、位置決め具１を取り外して、再利用しているが、位置決め具１を型枠５に嵌めたままの状態として、コンクリート４を施工してもよい。
【００６１】
また、上記実施形態では、位置決め具１の水平方向側当接部（内側の端面２６ｈ）を、杭頭キャップ１１の蓋板１２の端面１２ｄと当接させているが、位置決め具１は、杭２の上端部の外周面又は内周面２ａに当接する水平方向側当接部を備える構成でもよい。
【００６２】
また、上記実施形態では、位置決め具１を中心線Ｃ２周り回転させることで、位置決め具１を型枠５から取り外しているが、例えば、位置決め具１の第１プレート２２及び第２プレート２３を折り曲げたり、折り畳んだりすることで、側壁８との当接状態を解除してもよい。
【００６３】
また、上記実施形態では、杭頭部の上向きの面に当接する鉛直方向杭側当接部として、杭頭キャップ１１の天面１２ａに当接するベースプレート２１を備える構成としているが、位置決め具１は、杭２の上端面に当接する鉛直方向杭側当接部を備えるものでもよい。また、杭２の上端部に径方向の外側に張り出すフランジ部を設け、このフランジ部の上向きの面に当接する鉛直方向杭側当接部を備える位置決め具１でもよい。また、杭頭キャップ１１の天面１２ａは、矩形状の他、円形等であってもよい。
【００６４】
また、上記実施形態では、型枠５の下向きの面に当接する鉛直方向型枠側当接部として、型枠５の下端部の張出片１０の下面１０ａに当接する突出片２４を備える構成としているが、位置決め具１は、型枠５のその他の下向きの面に当接する鉛直方向型枠側当接部を備える構成でもよい。例えば、上端部または下端部の張出片を内側に折り曲げるようにして形成し、側壁８から内側に張り出す張出片の下面に当接する鉛直方向型枠側当接部を備える構成でもよい。
【００６５】
また、上記実施形態では、鉛直方向型枠側当接部である突出片１４が、第１プレート２２及び第２プレート２３に設けられているが、鉛直方向型枠側当接部及び水平方向型枠側当接部は、同一の部材に対して形成されている構成でもよく、異なる部材に対して別々に形成されている構成でもよい。
【００６６】
また、上記実施形態では、第１プレート２２及び第２プレート２３は、平面視において、側壁８の中央に当接する構成であるが、側壁の８の中央からずれた位置に当接するものでもよい。また、第１プレート２２及び第２プレート２３は、上下方向において、側壁８の下端側に当接しているが、側壁８の上端側に当接するものでもよく、上下方向の側壁８の上端から下端まで当接するものでもよく、上下方向において部分的に当接するものでもよい。
【００６７】
また、位置決め具１は、平面視において、側壁８に対して１箇所に当接しているが、側壁８に対して、複数の箇所に当接するものでもよい。また、位置決め具１は、型枠５の全て（４枚）の側壁８に当接しているが、例えば、第１の方向Ｘに対向する側壁８（２枚）のみに当接する構成でもよく、互いに交差して隣り合う２つの側壁８に当接するものでもよい。
【００６８】
また、上記実施形態では、位置決め具１の外側の端面２６ｆが型枠５の側壁８の内壁面８ａに当接しているが、位置決め具１は、型枠５の外側の壁面に当接する水平方向型枠側当接部を備える構成としてもよい。これにより、型枠５の外側の壁面に、水平方向型枠側当接部を当接させて、型枠５の水平方向における位置を決めることができる。
【符号の説明】
【００６９】
１…位置決め具、２…杭、２ａ…杭の上端部の内周面、３…杭頭部、４…コンクリート、５…型枠、８ａ…側壁の内壁面（型枠の水平方向に向く面、第１の内壁面、第２の内壁面）、１０…下端部の張出片、１０ａ…下面（型枠の下向きの面）、１１…杭頭キャップ（蓋部材）、１２ａ…天面（杭頭部の上向きの面）、１２ｄ…蓋板の端面（杭頭部の水平方向に向く面）、２１…ベースプレート、２１ｂ…裏面（鉛直方向杭側当接部）、２２…第１プレート（第１の板状部材）、２３…第２プレート（第２の板状部材）、２４…突出片（鉛直方向型枠側当接部）、２６ｈ…内側の端面（水平方向杭側当接部）、２６ｆ…外側の端面（水平方向型枠側当接部、第１の水平方向型枠側当接部、第２の水平方向型枠側当接部）、Ｘ…第１の方向（水平方向）、Ｙ…第２の方向（水平方向）、Ｚ…上下方向（鉛直方向）。
【図１】
2016053259.tif 000003
【図２】
2016053259.tif 000004
【図３】
2016053259.tif 000005
【図４】
2016053259.tif 000006
【図５】
2016053259.tif 000007
【図６】
2016053259.tif 000008